(57)【要約】【課題】粗い表面に吸着させることができる吸盤の構造を提供する。【解決手段】  吸盤の構造は、吸盤１０、スプリング２０、固定座３０及び制御ハンドル４０を備える。吸盤１０は、第１構造層１１及び第２構造層１２を有する。第１構造層１１は、柔軟で弾力性を有し、被吸着物に直接接触させる。第２構造層１２は、硬質で固定座３０が押圧されると変形し、真空吸着力を発生させる。吸盤１０は、第２構造層１２の中央部分から延設され、枢着孔１４が設けられたサポート１３を有する。固定座３０は、蓋体であり、中央部分に設けられた貫通孔３１を有する。制御ハンドル４０は、一方の端部に設けられた枢着部４１と、他方の端部に設けられた揺動部４２とを有し、枢着部４１は偏心凸設し、枢着孔４４及び切欠４３を有する。スプリング２０は、吸盤１０のサポート１３上に嵌合される。【選択図】  図２
0003163069.tif 000002
【実用新案登録請求の範囲】
【請求項１】
吸盤、スプリング、固定座及び制御ハンドルを備えた吸盤の構造であって、
前記吸盤は、第１構造層及び第２構造層を有してなり、
前記第１構造層は、柔軟で弾力性を有し、被吸着物に直接接触させるものであり、
前記第２構造層は、硬質で前記固定座が押圧されると変形し、真空吸着力を発生させ、
前記吸盤は、前記第２構造層の中央部分から延設され、枢着孔が設けられたサポートを有し、
前記固定座は、蓋体であり、中央部分に設けられた貫通孔を有し、
前記制御ハンドルは、一方の端部に設けられた枢着部と、他方の端部に設けられた揺動部とを有し、前記枢着部は偏心凸設し、枢着孔及び切欠を有し、
前記スプリングは、前記吸盤の前記サポート上に嵌合され、
前記吸盤は、前記貫通孔に前記サポートを貫設させて前記固定座により覆われたものであり、
前記制御ハンドルの前記枢着孔に、前記サポートの前記枢着孔を対応させて軸棒を貫設させると、前記固定座に前記吸盤の前記サポートが枢着されることを特徴とする吸盤の構造。
【請求項２】
前記第２構造層と前記第１構造層とは互いに積層され、前記吸盤の上部及び下部にそれぞれ配置されてなることを特徴とする請求項１に記載の吸盤の構造。
【請求項３】
前記第２構造層と前記第１構造層とは互いに嵌合され、前記吸盤の上部及び下部にそれぞれ配置されてなることを特徴とする請求項１に記載の吸盤の構造。
【請求項４】
前記第１構造層と前記第２構造層とは、外側から内側へ向かって同心円状で結合されることを特徴とする請求項１に記載の吸盤の構造。
【請求項５】
前記固定座は、蓋体であり、中央部分に設けられた前記貫通孔を有し、貫通孔に対応するように中空柱状のカバーが頂面に凸設され、
前記カバーは、軸方向に対して平行に開設された溝部を両側に有し、
前記制御ハンドルは、前記切欠により前記カバーの外側に嵌合され、互いに対応した前記枢着孔及び前記溝部に前記軸棒を貫設させると、前記固定座に前記制御ハンドル及び前記吸盤の前記サポートがそれぞれ枢着されることを特徴とする請求項１に記載の吸盤の構造。
【請求項６】
前記カバーの端部には、リングを係合する係合孔が設けられていることを特徴とする請求項５に記載の吸盤の構造。
【請求項７】
前記カバーには、フック部が外側に延設されていることを特徴とする請求項５に記載の吸盤の構造。
【考案の詳細な説明】
【技術分野】
【０００１】
本考案は、吸盤の構造に関するものであり、さらに詳しくは、凹凸が大きく、粗い表面に吸着させることができる吸盤の構造に関するものである。
【背景技術】
【０００２】
吸盤は、平面に吸着して固定させる機能を備えた構造体であり、被吸着面に、迅速かつ簡便に吸着させることができる。そのため、固定作業に際し対象物に対し破壊する虞のある穿孔作業を行ったり、釘を打ちつけたりする作業を行う必要がなく、材料を結合または固定することができる。従って、吸盤は、例えば、浴室、厨房、自動車、ガラスなどに幅広く利用されており、物品の懸架用手段及び固定用構造として利用することができる。
【０００３】
しかし、従来の吸盤は、真空吸着させた後、時間が経過したり吊り下げる重量が重い場合、表面が粗い場合に外れてしまう虞があり、吸着力及び吊り下げ荷重が理想的なものはなく、粗い表面においても吸着力が強力な吸盤の開発が切望されてきた。
【考案の開示】
【考案が解決しようとする課題】
【０００４】
従って、本考案の課題は、粗い表面に吸着させることができ、吸着状態が長期間にわたり維持可能な吸盤の構造を提供することにある。
【課題を解決するための手段】
【０００５】
そこで、本考案者は、前記の本考案の課題を解決するために鋭意検討を重ねた結果、被吸着面に対し軟質で直接吸着する構造層及び硬質の構造層を積層させ、少なくとも二層の構造を用いた吸盤構造体を提供することにより、粗い表面に対しても吸着力を維持できることを見出し、かかる知見に基づいて本考案に想到した。
【０００６】
かくして、前記課題を解決するために、本考案によれば、吸盤、スプリング、固定座及び制御ハンドルを備える吸盤の構造であって、前記吸盤は、第１構造層及び第２構造層を有してなり、前記第１構造層は、柔軟で弾力性を有し、被吸着物に直接接触させるものであり、前記第２構造層は、硬質で前記固定座が押圧されると変形し、真空吸着力を発生させ、前記吸盤は、前記第２構造層の中央部分から延設され、枢着孔が設けられたサポートを有し、前記固定座は、蓋体であり、中央部分に設けられた貫通孔を有し、前記制御ハンドルは、一方の端部に設けられた枢着部と、他方の端部に設けられた揺動部とを有し、前記枢着部は偏心凸設し、枢着孔及び切欠を有し、前記スプリングは、前記吸盤の前記サポート上に嵌合され、前記吸盤は、前記貫通孔に前記サポートを貫設させて前記固定座により覆われたものであり、前記制御ハンドルの前記枢着孔に、前記サポートの前記枢着孔を対応させて軸棒を貫設させると、前記固定座に前記吸盤の前記サポートが枢着されることを特徴とする吸盤の構造が提供される。
【０００７】
本考案において、前記第２構造層と前記第１構造層とは互いに積層され、前記吸盤の上部及び下部にそれぞれ配置されてなることが好ましい。
【０００８】
本考案において、前記第２構造層と前記第１構造層とは互いに嵌合され、前記吸盤の上部及び下部にそれぞれ配置されてなることが好ましい。
【０００９】
本考案において、前記第１構造層と前記第２構造層とは、外側から内側へ向かって同心円状で結合されることが好ましい。
【００１０】
本考案において、前記固定座は、蓋体であり、中央部分に設けられた前記貫通孔を有し、貫通孔に対応するように中空柱状のカバーが頂面に凸設され、前記カバーは、軸方向に対して平行に開設された溝部を両側に有し、前記制御ハンドルは、前記切欠により前記カバーの外側に嵌合され、互いに対応した前記枢着孔及び前記溝部に前記軸棒を貫設させると、前記固定座に前記制御ハンドル及び前記吸盤の前記サポートがそれぞれ枢着されることが好ましい。
【００１１】
本考案において、前記カバーの端部には、リングを係合する係合孔が設けられていることが好ましい。
【００１２】
本考案において、前記カバーには、フック部が外側に延設されていることが好ましい。
【考案の効果】
【００１３】
本考案の吸盤の構造によれば、粗い表面に対しても強固に吸着させることができる。
【図面の簡単な説明】
【００１４】
【図１】本考案の一実施形態による吸盤の構造を示す斜視図である。
【図２】本考案の一実施形態による吸盤の構造を示す分解斜視図である。
【図３】本考案の一実施形態による吸盤の構造を示す断面図である。
【図４】本考案の一実施形態による吸盤の構造を粗い表面に吸着させて真空状態に保持するときの状態を示す断面図である。
【図５】本考案の一実施形態による吸盤の構造を粗い表面に吸着させて真空状態に保持するときの状態を示す断面図である。
【図６】本考案の一実施形態による吸盤の構造を粗い表面に吸着させて真空状態に保持するときの状態を示す断面図である。
【図７】本考案の一実施形態による吸盤の構造がリングに鍵を取り付けたときの状態を示す斜視図である。
【考案を実施するための形態】
【００１５】
以下、本考案の実施形態について図面に基づいて説明する。なお、これらによって本考案が限定されるものではない。
【００１６】
図１及び図２を参照する。図１及び図２に示すように、本考案の一実施形態による吸盤の構造は、吸盤１０、スプリング２０、固定座３０、制御ハンドル４０及びリング５０を含む。吸盤１０は、第１構造層１１及び第２構造層１２を含む。第１構造層１１は、柔軟で弾力性があり、被吸着物に直接接触させるために用いる。第２構造層１２は、硬くて固定座３０が押圧されると変形し、真空吸着力を発生させる。吸盤１０は、第２構造層１２の中央部分から延設されたサポート１３を有する。サポート１３上には、枢着孔１４が設けられている。固定座３０は、蓋体であり、中央部分に設けられた貫通孔３１を有し、頂面には、貫通孔３１に対応するように中空柱状のカバー３２が凸設されている。カバー３２は、軸方向に対して平行に開設された溝部３３を両側に有し、係合部３４が端部に設けられ、フック部３５が外側に延設されている。制御ハンドル４０は、一方の端部に設けられた枢着部４１と、他方の端部に設けられた揺動部４２と、を有する。枢着部４１は偏心凸設し、枢着孔４４及び切欠４３を含む。リング５０は、連続的に周設された任意の形状の周縁部５１と、両端に設けられた貫設口５２と、を有する。
【００１７】
図１及び図３を参照する。図１及び図３に示すように、スプリング２０は、吸盤１０のサポート１３上に嵌合されている。吸盤１０は、固定座３０の貫通孔３１にサポート１３を貫設させることによりカバー３２中に設置し、固定座３０により吸盤１０を覆う。制御ハンドル４０は、切欠４３によりカバー３２の外側に嵌合されている。互いに対応した枢着孔１４，４４及び溝部３３に軸棒を貫設させると、固定座３０上に制御ハンドル４０及び吸盤１０のサポート１３がそれぞれ枢着された後、固定座３０の係合部３４に、貫設口５２によりリング５０が係合される。
【００１８】
本考案に係る吸盤を実際に使用する際は、第１構造層１１を利用して平滑な平坦面に吸盤１０を接触させてから、揺動部４２で制御する。制御ハンドル４０により、偏心の枢着部４１の縁部を固定座３０に当接して吸盤１０を外側へ引っ張ると、その中に真空吸着力が発生する。このように、吸盤１０の外周縁部が固定座３０により押下されると、平滑な平坦面へ吸盤１０を確実に吸着させることができる。被吸着物の表面が粗い場合、第１構造層１１を変形させることにより、図４に示すように、粗い表面との間の隙間が無くなり、外部から吸盤１０の内部に空気が入ることを防いで真空状態を形成し、吸盤１０の吸着状態を保持することができる。そのため、本実施形態の吸盤１０は、様々な物品に利用することができる。
【００１９】
また、第２構造層１２と第１構造層１１とは互いに積層され、（図１〜図４に示す。）、嵌合され（図５に示す。）、吸盤１０の上部及び下部にそれぞれ配置されたり、第１構造層１１と第２構造層１２とは、外から内へ向かって同心円状で結合されたりしてもよい（図６に示す。）。また、吸盤１０を実際に使用する際は、第１構造層１１を利用して被吸着物へ直接接触させる。
【００２０】
図７を参照する。図７に示すように、本考案の一実施形態による吸盤の構造は、リング５０が有する貫設口５２に鍵６０を通して取り付け、被吸着体を破壊せずに吸盤１０を吸着させることができる。取り外す際は、制御ハンドル４０を揺動させるだけで吸着装置全体をリング５０及び鍵６０と一緒に迅速に取り外すことができる。そのため、鍵６０を他の場所へ持ち運んだり、他の場所で鍵６０を再び吸着させたりすることができ、使用上便利である。上述したことから分かるように、本実施形態の吸盤の構造は、釘を打ち付けたりキーホルダーを粘着したりする必要がないため、時間及び労力を節減することができる。
【００２１】
また、本実施形態の吸着装置は、２つ以上を間隔を空けて吸着させたり、互いに対向した２つのリング５０間に物品を吊るしたチェーンを係合したり、固定座３０のフック部３５自体が備える吊り機能を利用したり、様々な態様で使用することができる。
【００２２】
上述したことから分かるように、本考案の吸着の構造は、被吸着物の表面が粗い場合、第１構造層１１を変形させることにより、粗い表面との間の隙間を無くして外部から吸盤１０の内部に空気が入らないようにして真空状態を形成する。また、本実施形態の吸盤１０は、第２構造層１２により吸盤１０の吸着状態を保持することができるため、様々な物品に利用することができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  吸盤
１１  第１構造層
１２  第２構造層
１３  サポート
１４  枢着孔
２０  スプリング
３０  固定座
３１  貫通孔
３２  カバー
３３  溝部
３４  係合部
３５  フック部
４０  制御ハンドル
４１  枢着部
４２  揺動部
４３  切欠
４４  枢着孔
５０  リング
５１  周縁部
５２  貫設口
６０  鍵
７０  吸盤
７１  固定座
７２  スプリング
７３  制御ハンドル
７０１  サポート
７１１  貫通孔
７３１  偏心部
７３２  揺動部
【図１】
0003163069.tif 000003
【図２】
0003163069.tif 000004
【図３】
0003163069.tif 000005
【図４】
0003163069.tif 000006
【図５】
0003163069.tif 000007
【図６】
0003163069.tif 000008
【図７】
0003163069.tif 000009